(57)【要約】      （修正有）【課題】布団を、洗濯又は乾燥する際に、当該布団をまとめるための布団バンドを提供する。【解決手段】バンド１は、布団を少なくとも洗濯又は乾燥する取扱機械（例えば、コインランドリで使用されるランドリマシン）によって、洗濯または乾燥する際に、当該布団Ａをまとめるための布団バンド１であって、布団バンド１は、長方形型の布団の短手方向に一周する帯状部１１と、帯状部１１の一方端部側に形成される一端側面ファスナ１５と、帯状部１１の一方端部側と他方端部側の間の位置に配置され、一端側面ファスナ１５と着脱可能に形成される他端側面ファスナ１３と、を有する。【選択図】図１
0003219357.tif 000002
【実用新案登録請求の範囲】
【請求項１】
布団を少なくとも洗濯又は乾燥する取扱機械によって、洗濯または乾燥する際に、当該布団をまとめるための布団バンドであって、
前記布団バンドは、
長方形型の布団の短手方向に一周する帯状部と、
前記帯状部の一方端部側に形成される一端側面ファスナと、
前記帯状部の一方端部側と他方端部側の間の位置に配置され、前記一端側面ファスナと着脱可能に形成される他端側面ファスナと、
を有する布団バンド。
【請求項２】
一端側面ファスナの前記帯状部の長手方向の長さは、前記他端側面ファスナの前記帯状部の長手方向の長さよりも短く形成されている
請求項１に記載の布団バンド。
【請求項３】
前記帯状部の他方側の端部位置には、前記帯状部を折りたたまずに通過できる貫通空間が形成された環状部が形成されている
請求項１又は２に記載の布団バンド。
【請求項４】
長方形形状の本体部と、
前記本体部の短手方向に平行に複数個配置される前記布団バンドと、
前記本体部の長手方向に延び、複数配置された前記布団バンドが少なくとも結合される補強部と、
を有する請求項１又は２に記載の布団バンド体。
【請求項５】
前記本体部には、斜め方向に橋渡される形状で形成され、布団の位置を保持するための保持部が形成されている
請求項４に記載の布団バンド体。
【考案の詳細な説明】
【技術分野】
【０００１】
本考案は、布団を洗濯又は乾燥する際に使用される布団バンド及び布団バンド体の構造に関する。
【背景技術】
【０００２】
特許文献１には、布団を天日干しで乾燥する際に使用されるバンドが開示されている。
【先行技術文献】
【特許文献】
【０００３】
【特許文献１】特開２００３−６２３９３号公報
【考案の概要】
【考案が解決しようとする課題】
【０００４】
布団を、洗濯又は乾燥したいという需要がある。
【課題を解決するための手段】
【０００５】
本考案の布団バンドは、布団を少なくとも洗濯又は乾燥する取扱機械によって、洗濯または乾燥する際に、当該布団をまとめるための布団バンドであって、前記布団バンドは、長方形型の布団の短手方向に一周する帯状部と、前記帯状部の一方端部側に形成される一端側面ファスナと、前記帯状部の一方端部側と他方端部側の間の位置に配置され、前記一端側面ファスナと着脱可能に形成される他端側面ファスナと、を有する。
【０００６】
好適には、一端側面ファスナの前記帯状部の長手方向の長さは、前記他端側面ファスナの前記帯状部の長手方向の長さよりも短く形成されている。
【０００７】
好適には  前記帯状部の他方側の端部位置には、前記帯状部を折りたたまずに通過できる貫通空間が形成された環状部が形成されている。
【０００８】
好適には、長方形形状の本体部と、前記本体部の短手方向に平行に複数個配置される前記布団バンドと、前記本体部の長手方向に延び、複数配置された前記布団バンドが少なくとも結合される補強部と、を有する。
【０００９】
好適には、前記本体部には、斜め方向に橋渡される形状で形成され、布団の位置を保持するための保持部が形成されている。
【考案の効果】
【００１０】
本考案によれば、布団を、従来よりも容易に洗濯又は乾燥することができる。
【図面の簡単な説明】
【００１１】
【図１】布団バンドの斜視図である。
【図２】布団バンドの使用方法の一例の説明図である。
【図３】第２の実施形態の布団バンド体の説明図である。
【図４】布団バンド体の使用の際の第１の説明図である。
【図５】布団バンド体の使用の際の第２の説明図である。
【考案を実施するための形態】
【００１２】
＜第１の実施形態＞
図１は、布団バンド１の斜視図である。
【００１３】
図１のように、布団バンド１は、帯状部１１、一端側面ファスナ１５、他端側面ファスナ１３、環状部１７、折返部１９を有している。
帯状部１１は、一方方向に長い帯状形状を有している。少なくとも、幅方向の長さの１０倍以上の長さが長手方向の長さとなっている。
また、厚さは、短手方向の５分の１以下の厚さとなることが多い。好適には、１０分の１以下である。
帯状部１１の長手方向の端部（一方端部側）には、一端側面ファスナ１５が形成されている。
より具体的には、一方端部のかなり近傍から一端側面ファスナ１５の端部が始まり、所定の長さ（帯状部１１の長手方向の長さ）の範囲で面状に形成されている。
帯状部１１の一端側面ファスナ１５が形成されている一方方向端部と、反対側の端部（他方端部側）の間の位置に、他端側面ファスナ１３が形成されている。
より詳細には、帯状部１１の一端側面ファスナ１５が形成されている側の面に、他端側面ファスナが形成されている。そして、他端側面ファスナ１３が形成されているのは、帯状部１１の一端側面ファスナ１５が形成されている位置に偏って形成されている。
もっとも、他端側面ファスナ１３の位置は、想定する布団Ａの厚さによって、任意に変更可能である。
帯状部１１は、長方形型の布団を短手方向に一周するように形成されている。
【００１４】
一端側面ファスナ１５と他端側面ファスナ１３は、一端側面ファスナ１５の方が、帯状部１１の長手方向の長さが短く形成されている。これは、異なる厚さの布団Ａに対応するためである。
【００１５】
帯状部１１の、他方端部側には、折返部１９が形成されている。
折返部１９は、環状部１７が連結されている。
具体的には、環状部１７は長方形の四角の形状をした輪の形状を有している。そのため、環状部１７は貫通空間が形成されている。
この貫通空間を帯状部１１が貫通している。そして、帯状部１１の端部はこの貫通空間を貫通した後、帯状部１１と接合している。これによって、帯状部１１と環状部１７とが一方向に回転自在に接続されている。
換言すると、四角形の輪形状の一辺に帯状部１１の端部付近が掛け回されることになる。
この環状部１７があることによって、きつく布団Ａを締め付けることができる。
なお、帯状部１１と環状部１７の結合はこれ以外の方法で結合していてもよい。
例えば、環状部１７をなくして、後述する第２実施形態のように形成してもよい。
さらに、他端側面ファスナ１３の位置は、布団Ａの厚さや、環状部１７を設けるかなどによって任意に変更可能である。ただし、現在のところ、既述した第１実施形態が最適であると考えている。
【００１６】
図２は、布団バンド１の使用方法の一例の説明図である。
【００１７】
図２のように、複数の布団バンド１で布団Ａに締め付けて使用する。
これによって、布団Ａが開く（ばらける、展開してしまう）がなくなる。
また、このように複数の布団バンド１で締め付けるために、布団Ａが開かないだけでなく、布団Ａが縦方向（図２においては上下方向）に比較的強度を持った状態となる。
以上の様に、布団Ａをまとめることができるため、コインランドリの洗浄・乾燥機械（少なくとも、洗浄又は乾燥のいずれか一方ができる機械をいう）で、適切に布団Ａを取扱（洗浄・乾燥の少なくともいずれか）ことができる。
具体的には、コインランドリの洗浄・乾燥機械内で、布団が偏ったり、開いてしまったり、団子（全体が団子になることもあり得るし、一部だけが団子となることもあり得る）になってしまったりすることを低減することができる。
これによって、従来難しいとされていた、布団Ａの洗浄・乾燥を可能とすることができる。
【００１８】
布団バンド１は、メッシュ等で水の通過性及び空気（風）の通過性が高いもので形成することが好適である。
もっとも、布団Ａの一部を締め付けるに過ぎないため、水の通過性及び空気（風）の通過性がそれほど高くなくてもよい。
【００１９】
＜第２の実施形態＞
図３は、第２の実施形態の布団バンド体１０１の説明図である。
【００２０】
図３のように、布団バンド体１０１は、本体部１１５と、バンド部１１１（布団バンド１）と、補強部１１７と、を有する。
本体部１１５は、布団Ａの形状に合わせて長方形形状を有している。
また、本体部１１５は、メッシュ等の水及び空気（風）が容易に通過できるように形成されている。
【００２１】
本体部１１５の内側面側（図３の紙面奥側）には、第１保持部１２１ａと、第２保持部１２１ｂが形成されている。
第１保持部１２１ａは、本体部１１５の長手方向の一端と短手方向の一端（後述する第１本体外バンド部１２７ａが配置される側）とを斜めにかけ渡されている。
第２保持部１２１ｂは、本体部１１５の長手方向の他端と短手方向の一端（後述する第１本体外バンド部１２７ａが配置される側）とを斜めにかけ渡されている。
第１保持部１２１ａと、第２保持部１２１ｂは、本体部１１５と、本体部１１５の端部（辺位置付近）で結合されている。
この第１保持部１２１ａと第２保持部１２１ｂは、布団Ａを布団バンド体１０１で固定する（巻き込む）際に、布団Ａを仮に固定して、布団Ａと布団バンド体１０１との位置が大きくズレないために用いられている。
この第１保持部１２１ａと第２保持部１２１ｂとは、例えば、ゴムなどで形成することも可能であるが、伸び縮みしない布で形成することも可能である。
【００２２】
本体部１１５は、長方形形状なので長手方向と短手方向を有しており、短手方向にバンド部１１１が配置される。
バンド部１１１は、本体部１１５の外側面（図３で言えば、紙面手前方向）に配置されている。
バンド部１１１は、帯状の形状を有している。
具体的には、第１バンド部１１１ａ、第２バンド部１１１ｂ、第３バンド部１１１ｃ及び第４バンド部１１１ｄの４本のバンド部１１１が配置される。
また、この４本のバンド部１１１は、等間隔に配置されている。もっとも、等間隔である必要性は必ずしもない。また、バンド部１１１の数も任意である。最低２本あれば足りる。さらにいうと、場合によっては、１本ということも可能である。
バンド部１１１は、メッシュ等で水の通過性及び空気（風）の通過性が高いもので形成することが好適である。
もっとも、布団Ａの一部を締め付けるに過ぎないため、水の通過性及び空気（風）の通過性がそれほど高くなくてもよい。
【００２３】
バンド部１１１はすべて同じ形状を有しているので、代表して第１バンド部１１１ａについて説明する。
第１バンド部１１１ａは、本体部１１５の範囲内に存在する第１本体内バンド部１２５ａ部分と、本体部１１５の短手方向に飛び出している第１本体外バンド部１２７ａ部分とを有する。
第１本体内バンド部１２５ａ部分と第１本体外バンド部１２７ａは、実際上は１つの布である。
第１本体外バンド部１２７ａの第１本体内バンド部１２５ａとは逆側位置に、第１一端側面ファスナ１１５ａが配置される。
第１本体内バンド部１２５ａの第１本体外バンド部１２７ａとは逆側位置に、第１他端側面ファスナ１１３ａが配置される。
第１バンド部１１１ａで言えば、一端部側に第１一端側面ファスナ１１５ａが、他端部側に第１他端側面ファスナ１１３ａが配置されている。
第１一端側面ファスナ１１５ａは、第１バンド部１１１ａの内側面側に形成されており、他方、第１他端側面ファスナ１１３ａは、第１バンド部１１１ａの外側面側に形成されている。
第１一端側面ファスナ１１５ａの長手方向の長さは、第１他端側面ファスナ１１３ａよりも短いことが好適である。これによって、異なる厚さの布団Ａに対応することが可能となっている。
【００２４】
また、本体部１１５の長手方向には、複数のバンド部１１１を連結等するための補強部１１７が配置されている。
この補強部１１７は帯状であり、本体部１１５の長手方向に延びている。
補強部１１７は、第１補強部１１７ａと、第２補強部１１７ｂとを有している。
【００２５】
図４は、布団バンド体１０１の使用の際の第１の説明図である。
【００２６】
図４では、図３での布団バンド体１０１を内面側と外面側を逆にして、本体部１１５の内面側に布団Ａを配置している。
布団バンド体１０１と、布団Ａとをある程度一体化するために、保持部１２１がもちられている。
【００２７】
図５は、布団バンド体１０１の使用の際の第２の説明図である。
【００２８】
図４の状態にしたのち、本体外バンド部１２７（第１本体外バンド部１２７ａ等）側とは反対側から布団Ａを、本体部１１５と一緒に、折りたたんでいく（巻いていく）。
その状態が、図５の状態である。
この状態においては、他端部側に第１他端側面ファスナ１１３ａが見える状態になっている。
そこで、第１一端側面ファスナ１１５ａを他端部側に第１他端側面ファスナ１１３ａに接触させる。これを他の面ファスナに対しても行うと、布団バンド体１０１で布団Ａをしっかりと結束することができる。
【００２９】
これによって、布団Ａが開く（ばらける、展開してしまう）がなくなる。
また、このように複数の布団バンド１で締め付けるために、布団Ａが開かないだけでなく、布団Ａが縦方向（図２においては上下方向）に比較的強度を持った状態となる。
以上の様に、布団Ａをまとめることができるため、コインランドリの洗浄・乾燥機械（少なくとも、洗浄又は乾燥のいずれか一方ができる機械をいう）で、適切に布団Ａを取扱（洗浄・乾燥の少なくともいずれか）ことができる。
具体的には、コインランドリの洗浄・乾燥機械内で、布団が偏ったり、開いてしまったり、団子（全体が団子になることもあり得るし、一部だけが団子となることもあり得る）になってしまったりすることを低減することができる。
これによって、従来難しいとされていた、布団Ａの洗浄・乾燥をより容易に可能とすることができる。
【００３０】
＜実施形態の構成及び効果＞
本考案の布団バンド１は、布団を少なくとも洗濯又は乾燥する取扱機械（例えば、コインランドリで使用されるランドリマシン）によって、洗濯または乾燥する際に、当該布団Ａをまとめるための布団バンド１であって、布団バンド１は、長方形型の布団の短手方向に一周する帯状部１１と、帯状部１１の一方端部側に形成される一端側面ファスナ１５と、帯状部１１の一方端部側と他方端部側の間の位置に配置され、一端側面ファスナ１５と着脱可能に形成される他端側面ファスナ１３と、を有する。
このような構成を有することから、従来よりも容易に布団Ａを洗濯・乾燥のいずれかをすることが可能となっている。
【００３１】
好適には、一端側面ファスナ１５の帯状部１１の長手方向の長さは、他端側面ファスナ１３の帯状部１１の長手方向の長さよりも短く形成されている。
このような構成を有することから、異なる厚さの布団Ａをも、従来よりも容易に洗濯・乾燥のいずれかをすることが可能となっている。
【００３２】
好適には、帯状部１１の他方側の端部位置には、帯状部１１を折りたたまずに通過できる貫通空間が形成された環状部１７が形成されている。
このような構成を有することから、布団Ａをより強固に締め付けることが可能となる。
【００３３】
好適には、長方形形状の本体部１１５と、本体部１１５の短手方向に平行に複数個配置される布団バンド１と、本体部１１５の長手方向に延び、複数配置された布団バンド１が少なくとも結合される補強部１１７と、を有する。
このような構成を有することから、より確実に布団Ａをまとまらせることが可能となる。
【００３４】
好適には、本体部１１５には、斜め方向に橋渡される形状で形成され、布団Ａの位置を保持するための保持部１２１が形成されている。
【００３５】
＜定義等＞
布団を少なくとも洗濯又は乾燥する取扱機械の一例が、コインランドリで使用される乾燥、洗濯、乾燥洗濯を行うコインランドリ機械である。最適な使用例が、コインランドリで使用される機械であるが、家庭用の機械であってもよいし、洗濯専用業者が使用する機械であってもよい。
【符号の説明】
【００３６】
１        ：布団バンド
１１      ：帯状部
１３      ：他端側面ファスナ
１５      ：一端側面ファスナ
１７      ：環状部
１９      ：折返部
１０１    ：布団バンド体
１１１    ：バンド部（布団バンド）
１１１ａ  ：第１バンド部
１１１ｂ  ：第２バンド部
１１１ｃ  ：第３バンド部
１１１ｄ  ：第４バンド部
１１３ａ  ：第１他端側面ファスナ
１１５    ：本体部
１１５ａ  ：第１一端側面ファスナ
１１７    ：補強部
１１７ａ  ：第１補強部
１１７ｂ  ：第２補強部
１２１    ：保持部
１２１ａ  ：第１保持部
１２１ｂ  ：第２保持部
１２５ａ  ：第１本体内バンド部
１２７    ：本体外バンド部
１２７ａ  ：第１本体外バンド部
Ａ        ：布団
【図１】
0003219357.tif 000003
【図２】
0003219357.tif 000004
【図３】
0003219357.tif 000005
【図４】
0003219357.tif 000006
【図５】
0003219357.tif 000007
【手続補正書】
【提出日】平成30年10月17日(2018.10.17)
【手続補正１】
【補正対象書類名】実用新案登録請求の範囲
【補正対象項目名】全文
【補正方法】変更
【補正の内容】
【実用新案登録請求の範囲】
【請求項１】
布団を少なくとも洗濯又は乾燥する取扱機械によって、洗濯または乾燥する際に、当該布団をまとめるための布団バンドであって、
前記布団バンドは、
長方形型の布団の短手方向に一周する帯状部と、
前記帯状部の一方端部側に形成される一端側面ファスナと、
前記帯状部の一方端部側と他方端部側の間の位置に配置され、前記一端側面ファスナと着脱可能に形成される他端側面ファスナと、
を有する布団バンド。
【請求項２】
一端側面ファスナの前記帯状部の長手方向の長さは、前記他端側面ファスナの前記帯状部の長手方向の長さよりも短く形成されている
請求項１に記載の布団バンド。
【請求項３】
前記帯状部の他方側の端部位置には、前記帯状部を折りたたまずに通過できる貫通空間が形成された環状部が形成されている
請求項１又は２に記載の布団バンド。
【請求項４】
長方形形状の本体部と、
前記本体部の短手方向に平行に複数個配置される請求項１又は２に記載の布団バンドと、
前記本体部の長手方向に延び、複数配置された前記布団バンドが少なくとも結合される補強部と、
を有する布団バンド体。
【請求項５】
前記本体部には、斜め方向に橋渡される形状で形成され、布団の位置を保持するための保持部が形成されている
請求項４に記載の布団バンド体。